(57)【要約】【課題】スマートフォンを持ち易く、確実に保持することが容易で、落とし難く、その結果破損させ難いと共に、スマートフォンを見やすく、且つ操作し易いように保持することが容易で、スマートフォンの使用により身体的苦痛が生じないようにすることを目的とする。【解決手段】スマートフォンケース１のケース本体２の背面２１に、指を挿入するための指挿入孔３０を形成する指挿入部材３を、指挿入孔３０がスマートフォンケース１の底辺１１に対して傾斜する方向に貫通するようにして設けたことを特徴とするスマートフォンケース１。【選択図】図３
2013215460.tif 000002
【特許請求の範囲】
【請求項１】
スマートフォンケースのケース本体の背面に、指を挿入するための指挿入孔を形成する指挿入部材を、前記指挿入孔が前記スマートフォンケースの底辺に対して傾斜する方向に貫通するようにして設けたことを特徴とするスマートフォンケース。
【請求項２】
前記指挿入孔が前記スマートフォンケースの底辺に対して５〜８５°の角度で傾斜する方向に貫通するように前記指挿入部材を設けたことを特徴とする請求項１に記載のスマートフォンケース。
【請求項３】
前記指挿入部材の前記スマートフォンケースの底辺に対する設置角度を変更可能としたことを特徴とする請求項１又は２に記載のスマートフォンケース。
【請求項４】
前記指挿入部材の初期設置角度から変更後の設置角度により、前記指挿入孔が前記スマートフォンケースの底辺に対して傾斜する方向に貫通するように構成したことを特徴とする請求項３に記載のスマートフォンケース。
【請求項５】
前記指挿入部材の設置位置を移動可能としたことを特徴とする請求項１から４のうちいずれか１項に記載のスマートフォンケース。
【請求項６】
前記指挿入部材は前記ケース本体から着脱自在としたことを特徴とする請求項１から５のうちいずれか１項に記載のスマートフォンケース。
【請求項７】
前記指挿入部材は、指を挿通させる指挿入孔を備えた環状部材で構成したことを特徴とする請求項１から６のうちいずれか１項に記載のスマートフォンケース。
【請求項８】
前記環状部材は可倒可能であることことを特徴とする請求項７に記載のスマートフォンケース。
【請求項９】
前記指挿入部材は、前記ケース本体の背面と共に指を挿通させる指挿入孔を形成する帯状部材で構成したことを特徴とする請求項１から６のうちいずれか１項に記載のスマートフォンケース。
【請求項１０】
前記帯状部材は、伸縮自在としたことを特徴とする請求項９に記載のスマートフォンケース。
【発明の詳細な説明】
【技術分野】
【０００１】
本発明は、スマートフォンを保護するために、スマートフォンのパネル部以外の所定箇所を被覆するスマートフォンケースに関する。
【背景技術】
【０００２】
現在、通信手段として携帯電話が広く普及しているが、更に、多機能のスマートフォンが急速に普及し始めている。
【０００３】
このようなスマートフォンの使用に際し、スマートフォンを机等に直接置いて或いはスタンドに立てて置いて使用するほか、多くの場合、使用者が利き腕と反対の手で、掌にスマートフォンを包み込むようにして持ち、利き腕の指、多くは人差し指で或いはスマートフォンを持った手の親指で、パネルにタッチして、電話、電子メール、インターネット、ゲーム、音楽等のスマートフォンの各種機能を操作している。
【０００４】
しかし、スマートフォンの形状は、携帯電話に比べてパネル部分が大きいため、又、パネル全面がボタンとなるため横幅がひろく、又、パネル部分が上面の略全面を占めるため、側面及び裏面のみしか把持できないため、持ちづらく、確実に保持することが困難で、落とし易いという問題点、その結果破損させ易いという問題点があった。又、落下防止のためには、横幅が広いスマートフォンを両側面から力を入れて把持する必要があり、手が疲れてしまうという問題点があった。
【０００５】
この問題点に関し、携帯電話に関する発明ではあるが、一方の手だけで携帯電話を安定的に支持することが出来るように、携帯電話のケースの背面に指が挿通可能な指挿通孔が設けられた携帯電話ケースが提案されている（特許文献１）。
【先行技術文献】
【特許文献】
【０００６】
【特許文献１】特開２００２−１９９０７０号公報
【発明の概要】
【発明が解決しようとする課題】
【０００７】
しかし、特許文献１に開示された携帯電話ケースの指挿通孔は、携帯電話ケースの底辺、即ち、携帯電話の底辺と直行方向に、指を挿通させるための指挿通部が設けられ、その結果、指を挿通する指挿通孔は携帯電話ケースの幅方向に、言い換えればケースの底辺、即ち携帯電話の底辺と平行に貫設されている（特許文献１の図１８、１９参照。）。
【０００８】
スマートフォンを縦向きに保持して使用する場合、見やすく、且つ操作し易いようにするためには、スマートフォンが体の左右の中心に位置すると共に、スマートフォンの縦方向と体の横幅方向とが直交する方向、言い換えればスマートフォンの底辺と体の横幅方向とが平行にスマートフォンを保持するのが通常であり、そのためにスマートフォンを保持した腕の肘から先の部分は、体の外側から内側に入り込み、体の横幅方向と直交する方向ではなく、体の横幅方向からおよそ４０〜６０°程度の傾斜した角度となるのが通常である。
【０００９】
一方、手首から先が腕の肘から先の部分と一直線上に位置するときが、一番力を必要とせず、筋肉、筋等が一番リラックスした状態であり、手首が楽であり、手首を曲げて長い時間物を持つことは、それだけで手首の疲れ、肩こり、頭痛等の身体的苦痛の原因となってしまう。
【００１０】
しかし、特許文献１のように、指を挿通する指挿通孔が携帯電話の幅方向に、言い換えれば携帯電話ケースの底辺、即ち携帯電話の底辺と平行に貫設された構成の指挿通孔に指を挿通すると共に、スマートフォンが体の中心に位置するように、且つスマートフォンの縦方向と体の横幅方向とが直交する方向に保持すると、手首が曲がり、手首から先が腕の肘から先の部分と一直線上に位置せず、腕や肩の筋肉、筋等が緊張し、短時間のスマートフォンの使用でも、手首の疲れ、肩こり、頭痛等の身体的苦痛が生じてしまうという問題点があった。
【００１１】
そこで、本発明は、スマートフォンを持ち易く、確実に保持することが容易で、落とし難く、その結果破損させ難いと共に、スマートフォンを見やすく、且つ操作し易いように保持することが容易で、スマートフォンの使用により身体的苦痛が生じないようにすることを目的とする。
【課題を解決するための手段】
【００１２】
以上のような課題を解決するための手段としての本発明は、スマートフォンケースのケース本体の背面に、指を挿入するための指挿入孔を形成する指挿入部材を、前記指挿入孔が前記スマートフォンケースの底辺に対して傾斜する方向に貫通するようにして設けたことを特徴とするスマートフォンケースである。
【００１３】
又、上記スマートフォンケースにおいて、前記指挿入孔が前記スマートフォンケースの底辺に対して５〜８５°の角度で傾斜する方向に貫通するように前記指挿入部材を設けたことを特徴とするスマートフォンケースである。
【００１４】
又、上記スマートフォンケースにおいて、前記指挿入部材の前記スマートフォンケースの底辺に対する設置角度を変更可能としたことを特徴とするスマートフォンケースである。
【００１５】
又、上記スマートフォンケースにおいて、前記指挿入部材の初期設置角度から変更後の設置角度により、前記指挿入孔が前記スマートフォンケースの底辺に対して傾斜する方向に貫通するように構成したことを特徴とするスマートフォンケースである。
【００１６】
又、上記スマートフォンケースにおいて、前記指挿入部材の設置位置を移動可能としたことを特徴とするスマートフォンケースである。
【００１７】
又、上記スマートフォンケースにおいて、前記指挿入部材は前記ケース本体から着脱自在としたことを特徴とするスマートフォンケースである。
【００１８】
又、上記スマートフォンケースにおいて、前記指挿入部材は、指を挿通させる指挿入孔を備えた環状部材で構成したことを特徴とするスマートフォンケースである。
【００１９】
又、上記スマートフォンケースにおいて、前記環状部材は可倒可能であることを特徴とするスマートフォンケースである。
【００２０】
又、上記スマートフォンケースにおいて、前記指挿入部材は、前記ケース本体の背面と共に指を挿通させる指挿入孔を形成する帯状部材で構成したことを特徴とするスマートフォンケースである。
【００２１】
又、上記スマートフォンケースにおいて、前記帯状部材は、伸縮自在としたことを特徴とするスマートフォンケースである。
【発明の効果】
【００２２】
以上のような本発明によれば、スマートフォンを持ち易く、確実に保持することが容易で、落とし難く、その結果破損させ難いと共に、スマートフォンを見やすく、且つ操作し易いように保持することが容易で、スマートフォンの使用により身体的苦痛が生じないようにすることが可能となった。
【図面の簡単な説明】
【００２３】
【図１】スマートフォンケース背面図
【図２】スマートフォンケース背面図
【図３】リング部材を備えたスマートフォンケース背面斜視図
【図４】スマートフォンケース使用状態図
【図５】スマートフォンケース使用状態図
【図６】連結リング部材を備えたスマートフォンケース背面斜視図
【図７】着脱式環状部材を備えたスマートフォンケース断面図
【図８】帯状部材を備えたスマートフォンケース背面斜視図
【図９】伸縮式帯状部材を備えたスマートフォンケース背面斜視図
【図１０】スマートフォンケース部分拡大図
【図１１】指挿入部材の設置角度を変更可能なスマートフォンケース背面図
【図１２】指挿入部材の設置角度を変更可能なスマートフォンケース背面図
【図１３】指挿入部材の設置角度を変更可能なスマートフォンケース背面図
【図１４】指挿入部材の設置角度を変更可能なスマートフォンケース背面図
【図１５】指挿入部材の設置位置を変更可能なスマートフォンケース背面図
【発明を実施するための形態】
【００２４】
以下、本発明の実施の形態を図を参照して説明する。図１〜図３に示すように、本発明のスマートフォンケース１は、スマートフォン５の裏面及び側面の略全面を被覆し、スマートフォン５を保護すると共に装飾するものであり、四隅部が円弧状に形成されているものの、対向する辺同士が平行で、隣り合う辺の延長線同士が直角な略四角形に形成され、スマートフォン５の形状に対応し、図示は省略するが、スマートフォン５のカメラ、端子、ボタン等に対応する部分が切り欠かれ、露出するよう形成されている。
【００２５】
又、ケース本体２の背面２１には指挿入部材３を設けている。尚、指挿入部材３のケース本体２の背面２１上での設置位置は特に限定されない。又、ケース本体２の素材は特に限定されず、合成樹脂、金属、皮革、布等を使用することが出来る。
【００２６】
指挿入部材３は、指を挿入させるための指挿入孔３０を形成する部材であり、指挿入部材３のみで又は指挿入部材３及びケース本体２の背面２１で指を挿通させる指挿入孔３０を構成している。指を指挿入孔３０に挿入又は挿通させることにより、挿入させた指で、スマートフォンケース１及びスマートフォンケース１に収納されたスマートフォン５を支持することが可能となっている。
【００２７】
指挿入部材３は、指挿入孔３０がスマートフォンケース１の底辺１１に対して傾斜する方向に貫通するようにして設置されている。言い換えれば、指挿入孔３０の貫通方向Ｄは、スマートフォンケース１の長手方向の両側辺、短手方向の上辺及び底辺１１の何れとも平行となっていない。尚、指挿入孔３０の貫通方向Ｄは、指挿入孔３０へ指を挿脱する方向でもある。
【００２８】
そして、スマートフォンケース１の底辺１１に対する指挿入孔３０の貫通方向Ｄの角度Ａ、詳しくは指挿入孔３０の貫通方向Ｄとスマートフォンケース１の底辺１１又はその延長線Ｈとで構成される鋭角である角度Ａは、特に限定されないが５〜８５°の角度とすることが出来る。即ち、指挿入孔３０がスマートフォンケース１の底辺１１に対して５〜８５°の角度で傾斜する方向に貫通するように指挿入部材３を設けることが出来る。
【００２９】
又、スマートフォンケース１の底辺１１に対する指挿入孔３０の貫通方向Ｄの角度Ａは、好ましくは１０〜６０°であり、より好ましくは１５〜４５°である。このような角度とすることで、より手首に負担をかけることなくスマートフォン５を見やすく、且つ操作し易いようにスマートフォン５を保持することが出来る。
【００３０】
指挿入孔３０を指挿入部材３に対して直交方向に形成する場合、指挿入部材３を、スマートフォンケース１の底辺１１に対して傾斜させ、指挿入部材３を、スマートフォンケース１の長手方向の両側辺、短手方向の上辺及び底辺１１の何れとも平行でない状態で設置すればよい。尚、指挿入孔３０がスマートフォンケース１の底辺１１に対して傾斜する方向に貫通するようにして設置するために、指挿入部材３の傾斜方向は右方向でも左方向でもよい。
【００３１】
そして、指挿入部材３が指挿入孔３０と直交する方向である設置方向Ｚのスマートフォンケース１の底辺１１に対する鋭角の角度である設置角度Ｂ、詳しくは指挿入部材３の設置方向Ｚとスマートフォンケース１の底辺１１又はその延長線Ｈとで構成される鋭角である設置角度Ｂは、特に限定されないが８５〜５°の角度とすることが出来る。又、角度Ａを１０〜６０°とする場合には、設置角度Ｂを８０〜３０°とすればよく、角度Ａを１５〜４５°とする場合には、設置角度Ｂを７５〜４５°とすればよい。
【００３２】
このような構成により、図４及び図５に示すように、指挿入部材３の指挿入孔３０に指９を挿通してスマートフォン５を保持した際に、スマートフォン５を見やすく、且つ操作し易いようにスマートフォン５が人体１００の左右の中心に位置すると共に、スマートフォン５の縦方向Ｙと人体１００の横幅方向Ｘとが直交する方向、言い換えればスマートフォン５の底辺５１と体の横幅方向Ｘとが平行にスマートフォン５を保持した場合であっても、指９をスマートフォン５の底辺５１に対し平行又は直角ではなく、所定の傾斜角度をもって位置させることが出来、その結果手首を曲げることなく、手首から先が腕の肘から先の部分と一直線Ｏ上に位置する状態でスマートフォン５を保持することが出来る。その結果、スマートフォン５を見やすく、且つ操作し易いように保持してスマートフォンを使用しても、手首の疲れ、肩こり、頭痛等の身体的苦痛が生じることがない。
【００３３】
指挿入部材３は、指を挿通させる指挿入孔３０を備えた環状部材４で構成することが出来る。環状部材４は、ケース本体２と一体的に形成してもよいが、別体として形成し、接着剤等で固定する構成としてもよい。又、環状部材４は、ケース本体２の背面２１に対して指挿入孔３０の軸が水平となるように背面２１に対して略垂直に設置するが、所定の角度に傾斜させてもよい。
【００３４】
環状部材４は、図３に示すように、１本の指を挿入可能な円環状のリング部材４１で構成することが出来る。リング部材４１の幅Ｗは特に限定されないが、１ｍｍ〜１５ｍｍ程度とすることが出来る。尚、図示はしないが、リング部材４１を複数個設置し、複数本の指を挿通してスマートフォン５を保持する構成としてもよい。
【００３５】
又、環状部材４は、図６に示すように、夫々が１本の指を挿入可能な２個の円環状部４２１，４２１が連結し、２個の指挿入孔３０を備えた連結リング部材４２で構成することとしてもよい。尚、図示はしないが、環状部材４は、夫々が１本の指を挿入可能な３個の円環状部が連結し、３個の指挿入孔３０を備えた連結リング部材、又、２本乃至４本の指を挿入可能な１個の指挿入孔３０を形成する１個の楕円環状の楕円リング部材で構成することも出来る。
【００３６】
更に、ケース本体２と環状部材４を別体として形成し、環状部材４をケース本体２から着脱自在としてもよい。このような着脱自在の実施例として、以下に限定されるものではないが、図７に示すように、ケース本体２の背面２１に設置孔２１７を形成する一方、環状部材４としてのリング部材４１に設置孔２１７に嵌合する設置突起４９を形成する構成を採用することが出来る。このような構成により、スマートフォン５の使用時には、設置孔２１７に設置突起４９を挿入し、嵌合させて、環状部材４であるリング部材４１をケース本体２に固定し、収納時には設置孔２１７から設置突起４９を脱出させ、環状部材４をケース本体２から外すことが出来る。
【００３７】
このような構成とすることで、指挿入部材３の不使用時には、ケース本体２の背面２１を略平面状にすることが出来、スマートフォンケース１を装着したスマートフォン５の鞄や服のポケット等への収納時に指挿入部材３が邪魔となることがなくなる。又、使用する人の指の太さ等の形状に対応した指挿入部材３を使用することが出来るので汎用性を高めることが出来る。
【００３８】
又、環状部材４は、可倒可能な構成とすることも出来る。具体的には、ケース本体２の背面２１に設置孔２１７を形成する一方、環状部材４に設置孔２１７に嵌合する設置突起４９を形成し、設置孔２１７に設置突起４９を挿入し、嵌合させて、環状部材４をケース本体２に固定する構成とし、更に、設置突起４９又は／及び環状部材４を可撓性の素材で形成して、設置突起４９又は／及び環状部材４を曲げることにより、指挿入部材３のケース本体２の背面２１に対する角度を変更可能とする構成としてもよい。又、ケース本体２及び環状部材４をシリコン等の可撓性を有する素材で一体形成してもよい。尚、この際、設置突起４９又は／及び環状部材４に応力を加えない状態では、環状部材４がケース本体２の背面２１に対して略垂直に位置し立っている構成としてもよく、又、環状部材４がケース本体２の背面２１に対して所定の角度に傾斜し或いは略水平に位置して倒れている構成としてもよい。
【００３９】
このような構成とすることで、指挿入部材３の不使用時には、ケース本体２の背面２１を略平面状にすることが出来、スマートフォンケース１を装着したスマートフォン５の鞄や服のポケット等への収納時に指挿入部材３が邪魔となることがなくなる。
【００４０】
更に、指挿入部材３は、図８に示すように、所定幅を備える帯状の帯状部材６で構成することとしてもよい。帯状部材６はその両端部をケース本体２の背面２１に固定して、ケース本体２の背面２１と共に略半円形状の指を挿通させる指挿入孔３０を形成している。帯状部材６は可撓性を備えることが好ましく、革や合成樹脂を用いて形成することが出来る。
【００４１】
又、可撓性を備える帯状部材６は、その両端部をケース本体２の背面２１に固定するのではなく、伸縮自在な構成としてもよい。このような構成の一例として、図９に示すように、ケース本体２の背面２１に挿入孔２１１を形成し、帯状部材６の両端部を挿入孔２１１からケース本体２の裏面に挿入させると共に帯状部材６の両端部に挿入孔２１１からの脱出を防止する係止部６９を形成した構成としてもよい。尚、図示はしないが、帯状部材６の一端部はケース本体２の背面２１に固定し、他端を上記固定しない構成としてもよい。又、挿入孔２１１に替えて、帯状部材６を挿通可能なベルトとおしを設ける構成としてもよい。更に、帯状部材６を伸縮性のあるゴム等で形成し、不使用時には平面状態となり、全面がケース本体２の背面２１に接触して、使用時に指を挿入して伸ばすことにより指挿入孔３０が形成される構成としてもよい。
【００４２】
このような構成とすることで、指挿入部材３の不使用時には、帯状部材６の両端部又は一端部をケース本体２とスマートフォン５間に収納可能となる等により、平面状態にすることが出来、ケース本体２の背面２１を略平面状にすることが出来、スマートフォン５の鞄や服のポケット等への収納時に指挿入部材３が邪魔となることがなくなる。
【００４３】
又、指挿入部材３の設置角度Ａを常に一定に維持するように指挿入部材３を固定する構成としてもよいが、設置角度Ａを変更可能な構成としてもよい。
【００４４】
例えば、上述の図７に示す実施例のように、ケース本体２の背面２１に設置孔２１７を形成する一方、環状部材４に設置孔２１７に嵌合する設置突起４９を形成する構成により、設置孔２１７に設置突起４９を挿入し、嵌合する際に、所望の設置角度に設置することが出来る。又、図１０に示すように、設置孔２１７の外周に放射状に複数のガイド溝２７９を設けると共に、設置突起４９の側面にガイド溝２７９に挿入可能なガイド突起４９９を形成し、ガイド突起４９９を挿入するガイド溝２７９により、環状部材４の設置角度を案内、固定する構成としてもよい。
【００４５】
又、図１１に示すように、環状部材４に２個の設置突起４９，４９を形成すると共に、ケース本体２の背面２１に１個の固定設置孔２１８及び固定設置孔２１８を中心とした同一円周上に２個以上の移動設置孔２１９を形成する構成としてもよい。このような構成とすることで、固定設置孔２１８に一方の設置突起４９を挿入し、嵌合すると共に、何れかの移動設置孔２１９に他方の設置突起４９を挿入し、嵌合して、環状部材４を設置して、設置突起４９を挿入する移動設置孔２１９の位置により、指挿入部材３の設置角度Ａを変更可能となっている。
【００４６】
又、図１２に示すように、ケース本体２の背面２１に設置孔２１７を形成する一方、環状部材４に設置孔２１７に嵌合する設置突起４９を形成し、設置孔２１７に設置突起４９を挿入し、嵌合させて、環状部材４をケース本体２に固定する構成とし、更に、少なくとも設置突起４９を可撓性の素材で形成して、設置突起４９を捻ることにより、指挿入部材３の設置角度Ａを変更可能とする構成としてもよい。又、図示はしないが、ケース本体の背面に形成する設置孔に雌ネジを形成する一方、環状部材に雄ネジを形成した設置突起を形成し、螺合する構成としてもよい。
【００４７】
又、指挿入部材３を帯状部材６で構成する場合、図１３に示すように、ケース本体２の背面２１に円弧状の挿入孔２１３，２１３を形成し、帯状部材６の両端部を挿入孔２１３からケース本体２の裏面に挿入させると共に帯状部材６の両端部に挿入孔２１３からの脱出を防止する係止部６９を形成した構成としてもよい。尚、図示はしないが、円弧状の挿入孔及び直線状の挿入孔を形成し、直線状の挿入孔と係合する部分を支点として設置角度を変化可能な構成としてもよい。更に、図１４に示すように、帯状部材６の一端部はケース本体２の背面２１にリベット７０等で回転自在に固定し、他端をケース本体２の背面２１に形成した円弧状の挿入孔２１３に挿入させる構成としてもよい。
【００４８】
尚、このように設置角度Ａを変更可能な構成とした場合、指挿入部材３の初期設置角度及び変更後の設置角度Ａを指挿入孔３０がスマートフォンケース１の底辺１１に対して傾斜する方向に貫通するように構成してもよいが、指挿入部材３の初期設置角度は特に限定されず、スマートフォンケース１の底辺１１に対し平行や直角とし、変更後の設置角度Ａにより、指挿入孔３０がスマートフォンケース１の底辺１１に対して傾斜する方向に貫通するように構成してもよい。
【００４９】
このように設置角度Ａを変更可能な構成とすることにより、使用する人のもち方、好み、利き手等に応じて設置角度Ａを変更することが出来るので、使用しやすく、汎用性を高めることが出来る。
【００５０】
又、指挿入部材３は、ケース本体２の背面２１の１箇所にのみ設置可能とするのではなく、設置位置を移動可能として、ケース本体２の背面２１の複数の所定位置に設置可能とすることとしてもよい。このような構成の一具体例としては、図１５に示すように、ケース本体２の背面２１に複数の設置孔２１７を形成する一方、指挿入部材３としての環状部材４に設置孔２１７に嵌合する設置突起４９を形成する構成を採用することが出来る。このような構成とすることで、何れかの設置孔２１７に設置突起４９を挿入することにより、ケース本体２に対する指挿入部材３の相対的位置を変化させ、所望の位置に指挿入部材３を設置することが出来、使用する人のもち方、好み、利き手等に応じて設置位置を変更することが出来るので、使用しやすく、汎用性を高めることが出来る。
【産業上の利用可能性】
【００５１】
以上のようなスマートフォンケースにより、スマートフォンを使用しやすく出来、破損を防止することが出来、多くのスマートフォンに使用されることで、スマートフォンケースの需要を喚起することが出来る。更に、スマートフォンを使用しやすくすることで、スマートフォンの需要を喚起することが出来る。
【符号の説明】
【００５２】
１      スマートフォンケース
１１    スマートフォンケースの底辺
１００  人体
２      ケース本体
２１    ケース本体の背面
２１１  挿入孔
２１３  挿入孔
２１７  設置孔
２１８  固定設置孔
２１９  移動設置孔
２７９  ガイド溝
３      指挿入部材
３０    指挿入孔
４      環状部材
４１    リング部材
４２    連結リング部材
４９    設置突起
４９９  ガイド突起
５      スマートフォン
５１    スマートフォンの底辺
６      帯状部材
６９    係止部
７０    リベット
９      指
Ａ      スマートフォンケースの底辺に対する指挿入孔の貫通方向の角度
Ｂ      指挿入部材の設置角度
Ｄ      指挿入孔の貫通方向
【図１】
2013215460.tif 000003
【図２】
2013215460.tif 000004
【図３】
2013215460.tif 000005
【図４】
2013215460.tif 000006
【図５】
2013215460.tif 000007
【図６】
2013215460.tif 000008
【図７】
2013215460.tif 000009
【図８】
2013215460.tif 000010
【図９】
2013215460.tif 000011
【図１０】
2013215460.tif 000012
【図１１】
2013215460.tif 000013
【図１２】
2013215460.tif 000014
【図１３】
2013215460.tif 000015
【図１４】
2013215460.tif 000016
【図１５】
2013215460.tif 000017